(57)【要約】【課題】棚上に商品を陳列したままで、簡素な構成にて特定の商品の販売制限等を円滑に、且つ、厳格に行うことを可能とする。【解決手段】前面に開口する陳列室９内に商品陳列用の棚３を複数段設けて成るオープンショーケース１において、特定の棚３Ａの上方に位置する例えば、陳列室９天面の下側に納出自在に格納された引き出し式のカバー５０を備え、このカバー５０が格納された状態で特定の棚３Ａ上の空間９Ａは前方に開放され、カバー５０が引き出されてカバーの下端が特定の棚３Ａ前端に着脱可能に取り付けられた状態で当該棚３Ａ上の空間９Ａ前部は閉じられ、少なくとも商品Ｓの取り出しが不能となる。【選択図】図３
2011229712.tif 000002
【特許請求の範囲】
【請求項１】
前面に開口する陳列室内に商品陳列用の棚を複数段設けて成るオープンショーケースにおいて、
前記複数段の棚のうちの特定の棚の上方に位置する前記棚の下側、若しくは、前記陳列室天面の下側に納出自在に格納された引き出し式のカバーを備え、
該カバーが格納された状態で前記特定の棚上の空間は前方に開放され、前記カバーが引き出されて当該カバーの下端が前記特定の棚前端に着脱可能に取り付けられた状態で当該棚上の空間前部は閉じられ、少なくとも前記商品の取り出しが不能となることを特徴とするオープンショーケース。
【請求項２】
前記カバーは、折り畳み可能な複数枚の板材にて構成されていることを特徴とする請求項１に記載のオープンショーケース。
【請求項３】
前記カバーは、後端が前記棚若しくは陳列室天面の下側に設けられたレールに回動且つ移動自在に保持された第１の板材と、後端が該第１の板材の前端部に回動自在に連結され、前端が前記特定の棚前端に着脱可能に取り付けられる第２の板材とから成り、
該第２の板材は、前記第１の板材の下側に折り畳まれた状態で当該第１の板材に係脱自在に保持されることを特徴とする請求項２に記載のオープンショーケース。
【請求項４】
前記カバーは、下端が前記特定の棚前端に取り付けられた状態を保持するための施錠装置を備えていることを特徴とする請求項１乃至請求項３のうちの何れかに記載のオープンショーケース。
【請求項５】
前記特定の棚の前部には、前記商品の陳列を禁止するための間隔保持材が設けられており、前記カバーの下端は、前記間隔保持材より前方の前記特定の棚に着脱可能に取り付けられることを特徴とする請求項１乃至請求項４のうちの何れかに記載のオープンショーケース。
【請求項６】
前記間隔保持材に、プライスレールを設けたことを特徴とする請求項５に記載のオープンショーケース。
【発明の詳細な説明】
【技術分野】
【０００１】
本発明は、前面に開口する陳列室内に棚を設けて成るオープンショーケースに関するものである。
【背景技術】
【０００２】
従来よりこの種オープンショーケースは、例えば特許文献１に示される如く、前面に開口する断面略コ字状の断熱壁内を仕切板にて仕切り、この仕切板の前側を陳列室とし、後側をダクトとしている。そして、前記陳列室内には商品を陳列するための棚装置を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。これによって、開口に冷気エアーカーテンを形成しつつ、一部を陳列室内に循環させて、各棚上の商品を冷却する方式とされていた。
【先行技術文献】
【特許文献】
【０００３】
【特許文献１】特開平１１−２４１８８０号公報
【発明の概要】
【発明が解決しようとする課題】
【０００４】
複数段架設された棚には、それぞれ商品が陳列されることとなるが、商品によっては、その販売形態などによりその販売が制限される場合がある。例えば、医薬品などの場合、薬事法によりその販売時間帯などが制限される場合がある。販売が制限された商品が、当該制限がない商品と同一のショーケースにおいて陳列されていると、どの商品が販売制限されているが否かが不明瞭となり、個別に販売制限がある旨の表示等を行っても、その陳列形態が複雑化する。これにより、顧客はその販売制限がある商品であるにもかかわらず、商品を陳列棚から取り出してしまう不都合が生じる。
【０００５】
商品の販売制限の条件に該当する度に該当商品を当該棚から搬出する作業を行うことが考えられるが、係る作業は煩雑となる。また、当該商品を搬出した後も販売制限の条件解除後における販売に供すべく、別置きの設備において所定温度に冷却しておく必要がある。
【０００６】
そこで、特定の商品が陳列された棚の前面を閉塞するカバーを着脱自在に設けたオープンショーケースが開発されている。この場合、棚上の空間前部を前方に開放した状態と、閉じた状態とに変更可能とするカバーを棚の前端部に設けられたプライスカードを取り付けるための溝などに差し込むことで設けていた。
【０００７】
しかしながら、かかる構成では、当該カバーを使用していない場合には、ショーケースとは別置きの場所に保管しておかなければならず、カバーの管理が煩雑となり、カバーの使用が徹底し難いという問題がある。
【０００８】
本発明は、従来の技術的課題を解決するためになされたものであり、棚上に商品を陳列したままで、簡素な構成にて特定の商品の販売制限等を円滑に、且つ、厳格に行うことを可能とするオープンショーケースを提供する。
【課題を解決するための手段】
【０００９】
上記課題を解決するために、本発明のオープンショーケースは、前面に開口する陳列室内に商品陳列用の棚を複数段設けて成るものであって、複数段の棚のうちの特定の棚の上方に位置する棚の下側、若しくは、陳列室天面の下側に納出自在に格納された引き出し式のカバーを備え、このカバーが格納された状態で特定の棚上の空間は前方に開放され、カバーが引き出されて当該カバーの下端が特定の棚前端に着脱可能に取り付けられた状態で当該棚上の空間前部は閉じられ、少なくとも商品の取り出しが不能となることを特徴とする。
【００１０】
請求項２の発明は、上記において、カバーは、折り畳み可能な複数枚の板材にて構成されていることを特徴とする。
【００１１】
請求項３の発明は、上記において、カバーは、後端が棚若しくは陳列室天面の下側に設けられたレールに回動且つ移動自在に保持された第１の板材と、後端がこの第１の板材の前端部に回動自在に連結され、前端が特定の棚前端に着脱可能に取り付けられる第２の板材とから成り、この第２の板材は、第１の板材の下側に折り畳まれた状態で当該第１の板材に係脱自在に保持されることを特徴とする。
【００１２】
請求項４の発明は、上記各発明において、カバーは、下端が特定の棚前端に取り付けられた状態を保持するための施錠装置を備えていることを特徴とする。
【００１３】
請求項５の発明は、上記各発明において、特定の棚の前部には、商品の陳列を禁止するための間隔保持材が設けられており、カバーの下端は、間隔保持材より前方の特定の棚に着脱可能に取り付けられることを特徴とする。
【００１４】
請求項６の発明は、上記において、間隔保持材に、プライスレールを設けたことを特徴とする。
【発明の効果】
【００１５】
本発明によれば、前面に開口する陳列室内に商品陳列用の棚を複数段設けて成るオープンショーケースにおいて、複数段の棚のうちの特定の棚の上方に位置する棚の下側、若しくは、陳列室天面の下側に納出自在に格納された引き出し式のカバーを備え、このカバーが格納された状態で特定の棚上の空間は前方に開放され、カバーが引き出されて当該カバーの下端が特定の棚前端に着脱可能に取り付けられた状態で当該棚上の空間前部は閉じられ、少なくとも商品の取り出しが不能となることにより、例えば薬事法などにより販売形態が制限される商品であっても、当該商品が陳列される特定の棚上の空間前方をカバーにて閉じることにより、顧客が任意に当該商品を取り出して販売に供されてしまう不都合を未然に回避することが可能となる。
【００１６】
そして、当該棚上の空間前方を開放して使用する場合には、カバーを当該特定の棚上方に位置する棚の下側、若しくは、陳列室天面の下側に格納することにより、不要となったカバーを取り外して別途保管する必要がなくなる。これにより、カバーを使用していない際に、当該カバーを紛失等してしまう不都合を効果的に解消でき、カバーの使用による販売形態の制限を徹底して実現することができる。
【００１７】
請求項２の発明によれば、上記に加えて、カバーは、折り畳み可能な複数枚の板材にて構成されているので、特定の棚上方に位置する棚や、陳列室天面と、当該特定の棚との寸法が、これら上方に位置する棚や天面の前後寸法よりも大きい場合であっても、棚上空間を閉じることができるカバーを支障なく棚の下側や陳列室天面の下側に格納することが可能となる。
【００１８】
請求項３の発明によれば、上記に加えて、カバーは、後端が棚若しくは陳列室天面の下側に設けられたレールに回動且つ移動自在に保持された第１の板材と、後端がこの第１の板材の前端部に回動自在に連結され、前端が特定の棚前端に着脱可能に取り付けられる第２の板材とから成り、この第２の板材は、第１の板材の下側に折り畳まれた状態で当該第１の板材に係脱自在に保持されるので、棚又は陳列室天面の前後寸法に制限されることなく、簡素な構成にて、特定の棚上空間を閉塞することができるカバーを構成することができる。
【００１９】
特に、カバーは、後端が棚若しくは陳列室天面に設けられたレールに保持される第１の板材と、当該板材に回動自在に連結される第２の板材とから構成されているため、当該連結部分にてカバーの傾斜角度を変更でき、一枚の板材にて構成されているものと比較して、特定の棚上に陳列される商品との干渉が発生し難い構成とすることができる。これにより、特定の棚上空間をカバーによって円滑に閉塞することができる。
【００２０】
請求項４の発明によれば、上記各発明に加えて、カバーは、下端が特定の棚前端に取り付けられた状態を保持するための施錠装置を備えているので、カバーによって特定の棚上の空間前方が閉じられた状態で施錠装置にて施錠することにより、閉じた状態を厳格に維持することができる。そのため、顧客等により故意にカバーが取り外される等によって、当該前方が閉じられた状態の棚上から商品等が任意に取り出されてしまう不都合を確実に回避することができる。
【００２１】
請求項５の発明によれば、上記各発明に加えて、特定の棚の前部には、商品の陳列を禁止するための間隔保持材が設けられており、カバーの下端は、間隔保持材より前方の特定の棚に着脱可能に取り付けられることにより、特定の棚上に陳列される商品とカバーとが干渉してしまうことを防止でき、支障なくカバーの取付を実現できる。
【００２２】
請求項６の発明によれば、上記に加えて、間隔保持材に、プライスレールを設けたことにより、プライスレールに商品の価格や名称、店舗からの情報などを表示することでカバーの開放時に、これらを支障なく顧客にアピールできると共に、カバーの閉鎖時には、これらを隠蔽することが可能となる。
【図面の簡単な説明】
【００２３】
【図１】本発明の実施形態であるオープンショーケースの正面図である。
【図２】図１のオープンショーケースの右側面図である。
【図３】図１の上部拡大縦断側面図である。
【図４】特定の棚の斜視図である。
【図５】オープンショーケース上部拡大縦断側面図である。（格納した状態）
【図６】オープンショーケース上部拡大縦断側面図である。（引き出した状態）
【図７】格納した状態のカバーとレールの斜視図である。
【図８】引き出した状態のカバーとレールの斜視図である。
【図９】棚前端に取り付けた状態のカバーとレールの斜視図（棚を含まない）である。
【図１０】棚前端に取り付けた状態のカバーとレールの斜視図（棚を含む）である。
【発明を実施するための形態】
【００２４】
以下、図面に基づき本発明の実施形態を詳述する。図１は本発明の実施形態であるオープンショーケース１の正面図、図２は図１のオープンショーケース１の縦断側面図、図３は図１のオープンショーケース１の上部拡大縦断側面図、図４は棚上の空間前方をカバーにて開閉可能とされる棚３の斜視図をそれぞれ示している。各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた側板７、７とから構成されている。
【００２５】
この断熱壁６の内側には仕切板（インテリアリア）８が取り付けられ、その前側を前面に開口する陳列室９とし、仕切板８と断熱壁６間をダクト１１としている。断熱壁６の天壁６Ａは底壁６Ｂよりも奥側で終了しており、天壁６Ａの前端下側、即ち、陳列室９の前面開口２の上縁に冷気吐出口１２が形成され、底壁６Ｂの前端上側、即ち、前面開口２の下縁に冷気吸込口１３が形成されて、それぞれダクト１１に連通している。
【００２６】
このダクト１１内には冷却装置の冷凍サイクルを構成する図示しない冷却器と送風機が設置され、断熱壁６の底壁６Ｂ下側に構成された機械室内には、前記冷却器と共に冷凍サイクルを構成する圧縮機、凝縮器及び凝縮器用送風機などが設置されている。
【００２７】
そして、陳列室９内の両側には上下に所定間隔で複数の係合孔１８が穿設された棚支柱１７、１７が取り付けられており、この棚支柱１７、１７間に渡って詳細は後述する商品陳列用の棚３が上下複数段に渡って架設されている。各棚３上の空間（商品陳列スペース）後方に対応する仕切板８には、左右に渡ってパンチングにより穿設された複数の冷気吹出孔１０が形成されている。
【００２８】
これにより、前記冷却装置の圧縮機とダクト１１内に配設された送風機が運転されると、ダクト１１内に配設された冷却器が冷却作用を発揮する。この冷却器にて冷却されたダクト１１内の冷気は、送風機にて吸い上げられて上方に吹き上げられ、やがて最上部の風向板３４が設けられた冷気吐出口１２から陳列室９内に吐出される。
【００２９】
これにより、陳列室９の前面開口２の上縁に形成された冷気吐出口１２から吐出された冷気は、前面開口２の下縁に形成された冷気吸込口１３に向けて吐出されることにより、陳列室９の前面開口２には、冷気エアーカーテンが形成される。そして、陳列室９内に吐出或いは吹き出された冷気は、最終的に冷気吸込口１３からダクト１１内に帰還する循環を行う。これにより、陳列室９内は、所定の温度に冷却される。
【００３０】
次に、図３及び図４を参照して棚３について詳述する。棚３は、後端に上下所定間隔を有して後方に突出する鉤状の複数の係合爪２２Ａ・・を有して前方に延在する左右一対のブラケット２２、２２と、このブラケット２２の内側に前後摺動自在に取り付けたレール部材２３（図３）と、このレール部材２３に摺動自在に係合支持された可動棚２４とから構成されている。
【００３１】
ブラケット２２は後端の係合爪２２Ａ・・をそれぞれ左右の棚支柱１７の係合孔１８に挿入係合することにより着脱自在に棚支柱１７に保持される。可動棚２４は周囲に商品落下防止用のフランジ２８を有した鋼板にて構成され、当該可動棚２４に設けられるストッパー３０によって、該可動棚２４はブラケット２２に対して移動不能状態とされ、当該ストッパー３０の非係合状態では前記レール部材２３によりブラケット２２に対して所定範囲内で前後方向に摺動可能とされる。
【００３２】
ここで、本実施例では、医薬品などの薬事法によりその販売時間帯などが制限された商品Ｓが陳列される特定の棚を、最上段の棚３Ａとし、それ以外の棚３上には、販売時間の制限がされない商品を陳列する棚として用いる。
【００３３】
そのため、最上段の棚３Ａ以外の棚３を構成する可動棚２４の前端には、プライスレール３５が左右に渡って取り付け可能とされる。このプライスレール３５は内部を透視可能とする透明材料にて構成されており、後面には下方に開口した係止部が形成され、当該係止部の前面には、上方に開口した溝が形成されている。これにより、可動棚２４の前端に、下方に開口して形成される係止部を上方から挿入係合することで、プライスレール３５が可動棚２４に着脱自在に取り付けられる。そして、このプライスレール３５の溝は、上方に開口し、内部にプライスカードを挿入して取り付けるための溝として用いられる。
【００３４】
一方、本実施例において特定の棚となる最上段の棚３Ａは、可動棚２４の前部には、左右に渡って商品Ｓの陳列を禁止するための間隔保持材３７が設けられている。本実施例では、可動棚２４の前端が上方に向けて略直角に折曲して棚前端面（棚前端）３８が形成され、その棚前端面３８の上端が後方に向けて略直角に折曲して所定寸法後方に延在する間隔壁３９が形成される。そして、この間隔壁３９の後端に、断面略クランク状の固定壁４０が取り付けられる。この間隔壁３９と固定壁４０によって棚３Ａの前部に、棚前端面３８から所定寸法、商品Ｓの陳列を禁止する間隔保持材３７が構成される。
【００３５】
そして、間隔保持材３７を構成する固定壁４０の前壁４０Ａには、上述した如きプライスレール３５が左右に渡って取り付け可能とされる。このとき、固定壁４０の前壁４０Ａは、棚前端面３８よりも所定寸法後方に退避した位置にて立設して構成されるため、詳細は後述する如きカバー５０とこれに設けられるプライスレール３５とが干渉しない。
【００３６】
次に、上記特定の棚３上のの空間前方を開閉自在に閉塞するカバー５０について、図５乃至図１０を参照して説明する。図５はカバー５０を格納した状態のオープンショーケース１の上部拡大縦断側面図、図６はカバー５０を引き出した状態のオープンショーケース１の上部拡大縦断側面図、図７は格納した状態のカバー５０とレール４３の斜視図、図８は引き出した状態のカバー５０とレール４３の斜視図、図９は棚前端に取り付けた状態のカバー５０とレール４３の斜視図（棚を含まない）、図１０は棚前端に取り付けた状態のカバー５０とレール４３の斜視図（棚を含む）をそれぞれ示している。
【００３７】
本実施例において、陳列室９内に架設された複数段の棚３のうちの特定の棚とする最上段の棚３Ａの上方、即ち、断熱壁６の内側に取り付けられる仕切板８の上面８Ａに相当する陳列室９天面の下側には、引き出し式のカバー５０が納出自在に格納されている。  
【００３８】
陳列室９天面の下側（仕切板８の上面８Ａの陳列室９側）には、両側部にそれぞれ、前後に延在するレール４３、４３が取り付けられている。このレール４３には、前後端が閉じられた溝４３Ａが前後方向に延在して形成されている。
【００３９】
カバー５０は、第１の板材５１と、第２の板材５２とから成り、第１の板材５１の後端には、左右に渡って回動軸５３が設けられており、当該回動軸５３は、陳列室９天面の下側に取り付けられた左右のレール４３、４３の溝４３Ａ、４３Ａ間に渡って、回動、且つ、奥行き方向に移動自在に保持される。
【００４０】
第１の板材５１の前端部には、第２の板材５２の後端部が枢支部材５４によって回動自在に連結されている。そのため、第２の板材５２は、枢支部材５４を中心として後方に回動させることにより、第１の板材５１の下側に折り畳まれた状態となる。
【００４１】
ここで、本実施例では、第１の板材５１は、格納された状態で下側となる面に少許突出した突出部５１Ａが折曲形成されており、当該突出部５１Ａには、係合孔５６が穿設されている。この突出部５１Ａは、枢支部材５４により連結され下側に折り畳まれる第２の板材５２と略ぴったりと当接可能とされており、当該第２の板材５２に設けられた係合部材５７が係合孔５６に着脱自在に係合される。これにより、第２の板材５２は、第１の板材５１の下側に折り畳まれた状態を保持可能とされる。
【００４２】
また、陳列室９天面の下側前部には、カバー保持部材６０が取り付けられている。このカバー保持部材６０は、前端が下方に略直角に折曲された後、その下端が前上方に向けて所定角度にて傾斜するように折曲された係止部６０Ａが形成されている。これに対し、第１の板材５１の前部には、保持孔５８が穿設されている。
【００４３】
そのため、カバー５０が折り畳まれ、陳列室９天面の下側に格納された状態で、第１の板材５１に形成された保持孔５８に陳列室９天面の下側に設けられたカバー保持部材６０の係止部６０Ａを挿入させることで、当該係止部６０Ａが保持孔５８の前縁部を保持し、カバー５０は、前部が後部よりも少許高くなる状態で陳列室９天面下側に保持される。
【００４４】
一方、カバー５０を構成する第２の板材５２は、第１の板材５１の回動軸５３がレール４３の溝４３Ａの前端にまで移動した状態で、その前端部５２Ａが特定の棚、この場合、棚３Ａの棚前端面３８と一部当接して着脱可能とされる。
【００４５】
具体的には、第２の板材５２には、特定の棚３Ａの上方の空間を閉塞した状態における前面（格納された状態で陳列室９側となる面）に、留め金具（係合部材）６２が設けられている。
【００４６】
この留め金具６２は、特定の棚３Ａの棚前端面３８に固定された被係合部５９と係脱自在に係合するものであって、操作部６３と、当該操作部６３に図示しないリンク部材によって連結された係止部６４とから構成される。
【００４７】
留め金具６２の係止部６４は、第２の板材５２の前端５２Ａよりも外方に延在して構成されており、操作部６３を第２の板材５２とは反対側に傾動させることによって、リンク部材にて連結された係止部６４は第２の板材５２の前端５２Ａよりも更に外方に延出可能とされる。
【００４８】
これにより、図３に示すように、第２の板材５２（カバー５０の下端）が特定の棚３Ａの棚前端面３８上部に当接した状態で、操作部６３を前方に傾動させることによって、係止部６４は、棚前端面３８に設けられた被係合部５９よりも下方に延出し、当該被係合部５９と係合可能とされる。
【００４９】
棚側の被係合部５９とカバー５０側の係止部６４とが係合された状態で、操作部６３を元の状態に復帰させることにより、係止部６４が被係合部５９と係合された状態のままカバー５０側に引き寄せられ、これらの係合が強固なものとなる。また、この留め金具６２には、操作部６３の操作を禁止する施錠装置６５を備えている。
【００５０】
以上の構成により、カバー５０の開閉手順について説明する。特定の棚３Ａ上には例えば、医薬品などの薬事法によりその販売時間帯などが制限された商品Ｓが陳列されている。当該商品Ｓの販売が可能な時間帯には、他の棚３と同様に、当該最上段の棚３Ａ上の空間９Ａが前方に開放した状態とする。この状態で、カバー５０は、折り畳まれた状態で、陳列室９天面の下側に格納されている。これにより、顧客による任意な商品選択及び取出が可能となる。
【００５１】
一方、当該商品Ｓの販売に制限が課される時間帯では、当該商品Ｓが陳列された特定の棚３Ａ上の空間９Ａ前方をカバー５０にて閉塞する。この際、先ず、図５又は図７に示すように、陳列室９天面の下側に格納されたカバー５０を前方に引き出す。
【００５２】
このとき、カバー５０の第１の板材５１に形成された保持孔５８には、陳列室９天面に固定されたカバー保持部材６０の係止部６０Ａが係合されているため、カバー５０の前端を少許前上方に移動させることで、当該係合を解除し、第１の板材５１の後端の回動軸５３が陳列室９天面の下側に取り付けられたレール４３、４３の溝４３Ａ、４３Ａ内を前方に移動することにより、引き出される。図６及び図８は前方に引き出された状態を示す。
【００５３】
そして、溝４３Ａ、４３Ａの前端に移動した回動軸５３を中心としてカバー５０を下側に回動させる。このとき、溝４３Ａの下縁には、下方に凹陥した保持溝、若しくは、上縁に、上方に凹陥した保持溝を形成しても良い。これにより、引き出し状態のカバー５０を安定して保持することができる。
【００５４】
この際、第２の板材５２は、第１の板材５１の下側に折り畳まれた状態で、係合部材５７にて保持されているため、当該係合部材５７と係合孔５６との係合を解除し、第１の板材５１の前端から第２の板材５２を前方に引き出す。
【００５５】
引き出された第２の板材５２の前端部５２Ａ（カバー５０の下端）を特定の棚３Ａの棚前端面３８の前面と当接し、第２の板材５２に取り付けられた留め金具６２を用いて上述したように棚前端面３８に設けられた被係合部５９と係合させる。図３及び図１０はカバー５０が棚前端面３８に取り付けられた状態を示す。
【００５６】
これにより、当該最上段の棚３Ａ上の空間９Ａ前部がカバー５０によって閉じられた状態とされ、当該棚３Ａ上に陳列された販売制限がなされた商品Ｓを取り出せないようにすることができる。
【００５７】
そのため、一例として薬事法などにより販売形態が制限される商品Ｓであっても、当該商品Ｓが陳列される特定の棚３、この場合最上段の棚３Ａ上の空間９Ａ前部をカバー５０にて閉じることにより、顧客が任意に当該商品Ｓを取り出し販売に供されてしまう不都合を未然に回避することが可能となる。これにより、当該商品Ｓに応じた適切な陳列販売形態を実現することができる。
【００５８】
本実施例では、カバー５０は、後端が陳列室９天面に設けられたレール４３に保持される第１の板材５１と、この板材５１に回動自在に連結される第２の板材５２とから構成されているため、図３に示すように、当該連結部分（枢支部材５４）にてカバー５０の傾斜角度を変更できる。
【００５９】
そのため、カバー５０が一枚の板材にて構成されているものと比較して、特定の棚３Ａ上に陳列される商品との干渉が発生し難い構成とすることができる。これにより、特定の棚３Ａ上空間９Ａをカバー５０によって円滑に閉塞することができる。
【００６０】
また、本実施例では、当該棚３Ａの前部には、商品の陳列を禁止するための間隔保持材３７が設けられているため、カバー５０の下端は、間隔保持材３７より前方に位置する棚前端面３８に着脱可能に取り付けられることとなる。
【００６１】
これによっても、棚３Ａ上に陳列される商品Ｓとカバー５０とが干渉してしまうことを防止でき、支障なくカバー５０の取付を実現できる。
【００６２】
更に、本実施例では、当該間隔保持材３７に、プライスレール３５が設けられているため、プライスレール３５に商品Ｓの価格や名称、店舗からの情報などを表示することでカバー５０の開放時に、これらを支障なく顧客にアピールできると共に、カバー５０の閉鎖時には、これらを隠蔽することが可能となる。
【００６３】
また、本実施例では、カバー５０を棚前端面３８に着脱可能に保持する留め金具６２には、施錠装置６５が設けられているため、このように、カバー５０によって特定の棚３Ａ上の空間９Ａ前方が閉じられた状態で施錠装置６５にて施錠することにより、カバー５０の下端が棚前端面３８に取り付けられた状態を厳格に保持することができる。そのため、顧客等により故意にカバー５０が取り外される等によって、当該前方が閉じられた状態の棚３Ａ上から商品Ｓ等が任意に取り出されてしまう不都合を確実に回避することができる。
【００６４】
また、この状態では、棚３の可動棚２４を引き出すことも規制することができるため、厳格な商品管理が可能となる。
【００６５】
そして、当該棚３Ａ上の空間９Ａ前方を開放して使用する場合には、留め金具６２の施錠装置６５を解錠し、操作部６３を前方に傾動させることにより、係止部６４と棚前端面３８側の被係合部５９との係合を解除する。その後、第２の板部５２を枢支部材５４を中心として後方に回動させて、第１の板部５１の下側に折り畳み、第２の板部５２側の係合部材５７を第１の係合孔５６と係合させる。
【００６６】
この状態で、第１の板部５１の後端に設けられた回動軸５３を中心として陳列室９天面の略平行とし、レール４３、４３の溝４３Ａ、４３Ａ内を後方に摺動させて、当該カバー５０を陳列室９天面の下側に格納する。
【００６７】
このとき、陳列室９天面の下側に設けられたカバー保持部材６０を第１の板部５１に形成された保持孔５８と係合させることにより、安定して格納状態を保持することができる。
【００６８】
このように、カバー５０の開放時には、当該カバー５０を陳列室９天面の下側に格納することにより、不要となったカバー５０を取り外して別途保管する必要がなくなる。そのため、カバー５０を使用していない際に、当該カバー５０を紛失等してしまう不都合を効果的に解消でき、カバー５０の使用による販売形態の制限を徹底して実現することができる。
【００６９】
また、本実施例では、上述したように、回動自在に連結された第２の板材５２は、第１の板材５１の下側に折り畳まれた状態で当該板材５１に係脱自在に保持されるので、陳列室９天面の前後寸法に制限されることなく、簡素な構成にて、特定の棚３Ａ上空間９Ａを閉塞することができるカバー５０を構成することができる。
【００７０】
尚、本実施例では、特定の棚として最上段の棚３Ａ上の空間９Ａ前方をカバー５０にて開閉自在に閉塞する場合にて説明しているが、特定の棚は、これに限定されるものではない。即ち、特定の棚３Ａの上側に別途棚３が設けられている場合には、特定の棚３Ａの上方に位置する棚３の下側に上述した如き引き出し式のカバー５０を納出自材に格納する。この際、レール４３は、上方に位置する棚３の下側の両側部に設けられ、カバー保持部材６０も当該棚３の下面に設けられることとなる。
【００７１】
これにより、任意に特定の棚３上の空間のみをカバー５０にて開放状態と、閉鎖状態とにすることで、円滑、且つ、適切な陳列販売を実現することができる。
【００７２】
尚、本実施例では、カバー５０は、第１の板材５１と第２の板材５２により構成し、折り畳み可能な構成としているが、特定の棚３Ａ上方に位置する棚３又は陳列室９天面と、当該特定の棚３Ａとの寸法が、これら上方に位置する棚３や陳列室９天面の前後寸法よりも小さい場合には、一部材にて構成しても良い。
【００７３】
また、カバー５０は、折り畳み可能な２枚の板材にて構成することに限定されるものではなく、折り畳み可能な３枚以上の板材にて構成したものであっても良い。このように、折り畳み可能な複数枚の板材にてカバー５０を構成することにより、特定の棚３Ａ上方に位置する棚３又は陳列室９天面と、当該特定の棚３Ａとの寸法が、これら上方に位置する棚３や陳列室９天面の前後寸法よりも大きい場合であっても、棚３Ａ上空間を閉じることができるカバー５０を支障なく棚３の下側や陳列室９天面の下側に格納することが可能となる。
【符号の説明】
【００７４】
１    オープンショーケース
２    前面開口
３    商品陳列用の棚
６    断熱壁
８    仕切板
８Ａ  上面（陳列室天面）
９    陳列室
２２    ブラケット
３５    プライスレール
３７    間隔保持材
３８    棚前端面
３９    間隔壁
４０    固定壁
４０Ａ  前壁
５０    カバー
５１    第１の板材
５２    第２の板材
５２Ａ  前端
５３    回動軸
５４    枢支部材
５６    係合孔
５７    係合部材
５８    保持孔
５９    被係合部
６０    カバー保持部材
６０Ａ  係止部
６２    留め金具（係合部材）
６３    操作部
６４    係止部
６５    施錠装置
【図１】
2011229712.tif 000003
【図２】
2011229712.tif 000004
【図３】
2011229712.tif 000005
【図４】
2011229712.tif 000006
【図５】
2011229712.tif 000007
【図６】
2011229712.tif 000008
【図７】
2011229712.tif 000009
【図８】
2011229712.tif 000010
【図９】
2011229712.tif 000011
【図１０】
2011229712.tif 000012